(57)【特許請求の範囲】
【請求項１】
チェック線源と放射線検出器との間に設置されているシャッターと、
前記放射線検出器が出力する検出信号から放射線量を算出する演算部と、
ＡＣ電源で動作するＡＣソレノイドと、
前記ＡＣソレノイドに取り付けられていて、設定値以上の温度になると接点が開状態から閉状態に反転する温度スイッチと、
接点を有し、前記ＡＣソレノイドに直列に接続されているサーキットプロテクタと、
前記ＡＣソレノイドに直列に接続されているモード選択スイッチと、を備え、
前記モード選択スイッチがノーマルモードに設定されていると前記シャッターは閉状態を保持し、
前記モード選択スイッチをノーマルモードからチェック線源モードに変更すると前記ＡＣソレノイドにＡＣ電流が流れて前記シャッターが閉状態から開状態に変化し、
前記温度スイッチの接点が開状態から閉状態に反転すると、前記サーキットプロテクタの接点が外れて、前記ＡＣソレノイドに流れるＡＣ電流が遮断されることを特徴とする放射線モニタ。
【請求項２】
対向位置と遮蔽位置の間を移動するチェック線源と、
放射線が入射すると検出信号を出力する放射線検出器と、
前記放射線検出器が出力する検出信号から放射線量を算出する演算部と、
ＡＣ電源で動作するＡＣソレノイドと、
前記ＡＣソレノイドに取り付けられていて、設定値以上の温度になると接点が開状態から閉状態に反転する温度スイッチと、
接点を有し、前記ＡＣソレノイドに直列に接続されているサーキットプロテクタと、
前記ＡＣソレノイドに直列に接続されているモード選択スイッチと、を備え、
前記モード選択スイッチがノーマルモードに設定されていると前記チェック線源は前記遮蔽位置に保持され、
前記モード選択スイッチをノーマルモードからチェック線源モードに変更すると前記ＡＣソレノイドにＡＣ電流が流れて前記チェック線源が前記遮蔽位置から前記対向位置に移動し、
前記温度スイッチの接点が開状態から閉状態に反転すると、前記サーキットプロテクタの接点が外れて、前記ＡＣソレノイドに流れるＡＣ電流が遮断されることを特徴とする放射線モニタ。
【請求項３】
チェック線源と放射線検出器との間に設置されているシャッターと、
前記放射線検出器が出力する検出信号から放射線量を算出する演算部と、
ＡＣ電源で動作するＡＣソレノイドと、
前記ＡＣソレノイドに取り付けられていて、設定値以上の温度になると接点が開状態から閉状態に反転する温度スイッチと、
前記ＡＣソレノイドに直列に接続されているヒューズと、
前記ＡＣソレノイドに直列に接続されているモード選択スイッチと、を備え、
前記モード選択スイッチがノーマルモードに設定されていると前記シャッターは閉状態を保持し、
前記モード選択スイッチをノーマルモードからチェック線源モードに変更すると前記ＡＣソレノイドにＡＣ電流が流れて前記シャッターが閉状態から開状態に変化し、
前記温度スイッチの接点が開状態から閉状態に反転すると、前記ヒューズが溶断して、前記ＡＣソレノイドに流れるＡＣ電流が遮断されることを特徴とする放射線モニタ。
【請求項４】
第１の接点と第２の接点を有し、前記温度スイッチと直列に配置されているリレーを備え、
前記第１の接点は前記温度スイッチと並列に接続され、
前記第２の接点は前記ＡＣソレノイドと直列に接続されていることを特徴とする請求項１から３のいずれか一項に記載の放射線モニタ。
【請求項５】
前記演算部は、前記モード選択スイッチの設定がノーマルモードからチェック線源モードに変更されると、前記チェック線源の正味値偏差を求めることを特徴とする請求項１から４のいずれか一項に記載の放射線モニタ。
【請求項６】
前記演算部は、求められた正味値偏差が許容範囲以内に収まっていれば、前記チェック線源を正常と判定し、求められた正味値偏差が許容範囲から外れていれば、前記チェック線源を異常と判定することを特徴とする請求項５に記載の放射線モニタ。
【発明の詳細な説明】
【技術分野】
【０００１】
この発明は、放射線モニタに関し、特に、ノーマルモードとチェック線源モードを備えている放射線モニタに関するものである。
【背景技術】
【０００２】
原子炉施設、使用済み燃料再処理施設等には、検出部と測定部から構成されていて、ノーマルモードとチェック線源モードを選択することができる放射線モニタが設置されている（例えば特許文献１および２を参照）。この放射線モニタの検出部には、放射線を検出して検出信号を出力する放射線検出器と、遠隔操作により放射線検出器に点検用放射線を照射するチェック線源照射部が設置されている。チェック線源照射部はＡＣソレノイドを備えている。
【０００３】
放射線モニタの測定部には、信号処理部、演算部、モード選択スイッチおよびサーキットプロテクタが設置されている。信号処理部は、放射線検出器から出力された検出信号を入力して放射線を測定する。演算部は、その測定値を単位時間当たりの放射線量としての工学値に変換して出力する。表示部は、その工学値を表示する。
【０００４】
モード選択スイッチは、通常の測定を行うノーマルモードと、放射線検出器に点検用放射線を照射した状態で測定を行うチェック線源モードの選択操作を行う。サーキットプロテクタは、チェック線源照射部のＡＣソレノイドが設定された電流値を超えたら、電流値の大きさに依存した時間遅れ特性で接点を引き外してＡＣソレノイドの電流を遮断すると共に、その接点状態を機械的に自己保持する。
【０００５】
放射線モニタに関する日本の国内指針として「原子力発電所放射線モニタリング指針ＪＥＡＧ(Japan Electric Association Guide)４６０６−２００３」が定められている。チェック線源モードが選択されている場合、放射線検出器には、この指針に基づき、チェック線源を照射して装置の健全性を確認する。チェック線源照射部のＡＣソレノイドに異常が発生して過電流が流れた場合には、サーキットプロテクタで電流を遮断して放射線検出器は保護される。
【先行技術文献】
【特許文献】
【０００６】
【特許文献１】特開２０１１−２５２８７３号公報
【特許文献２】特開２０１０−７８３１９号公報
【発明の概要】
【発明が解決しようとする課題】
【０００７】
放射線モニタの通常点検時には、健全性、特に放射線検出器の健全性を確認する作業が行われている。原子炉施設に事故が発生して検出部の環境温度が高温になった状態においても、通常時の点検と同様に、放射線モニタの健全性、特に放射線検出器の健全性を確認することが必要になる。
【０００８】
事故時にチェック線源モードが選択されている場合、チェック線源照射部の通常の温度上昇に、事故による環境温度上昇が加算されることで、ＡＣソレノイドが定格温度をオーバーして焼損することが想定される。焼損の影響が大きいと、放射線検出器にチェック線源の放射線が不完全照射された状態が続き、最悪の場合にはノーマルモードに復帰できなくなる。
【０００９】
この発明は、上記のような課題を解決するためになされたもので、事故時の環境下においてもチェック線源照射部の焼損を確実に防止した、高信頼の放射線モニタを提供することを目的とする。
【課題を解決するための手段】
【００１０】
この発明に係わる放射線モニタは、チェック線源と放射線検出器との間に設置されているシャッターと、放射線検出器が出力する検出信号から放射線量を算出する演算部と、ＡＣ電源で動作するＡＣソレノイドと、ＡＣソレノイドに取り付けられていて、設定値以上の温度になると接点が開状態から閉状態に反転する温度スイッチと、接点を有し、ＡＣソレノイドに直列に接続されているサーキットプロテクタと、ＡＣソレノイドに直列に接続されているモード選択スイッチと、を備え、モード選択スイッチがノーマルモードに設定されているとシャッターは閉状態を保持し、モード選択スイッチをノーマルモードからチェック線源モードに変更するとＡＣソレノイドにＡＣ電流が流れてシャッターが閉状態から開状態に変化し、温度スイッチの接点が開状態から閉状態に反転すると、サーキットプロテクタの接点が外れて、ＡＣソレノイドに流れるＡＣ電流が遮断されることを特徴とする。
【発明の効果】
【００１１】
この発明に係わる放射線モニタによれば、事故時の環境下においても、チェック線源照射部の焼損を確実に防止した、高信頼の放射線モニタを提供することが可能になる。
【図面の簡単な説明】
【００１２】
【図１】この発明の実施の形態１に係わる放射線モニタを示すブロック図である。
【図２】この発明の実施の形態２に係わる放射線モニタを示すブロック図である。
【図３】この発明における遮蔽位置を示すブロック図である。
【図４】この発明の実施の形態３に係わる放射線モニタを示すブロック図である。
【図５】この発明の実施の形態４に係わる放射線モニタを示すブロック図である。
【図６】この発明の実施の形態５に係わる放射線モニタを示すブロック図である。
【図７】実施の形態５に係わる動作フローのうちＳＴ００からＳＴ０９を示す図である。
【図８】実施の形態５に係わる動作フローのうちＳＴ１０からＳＴ１７を示す図である。
【発明を実施するための形態】
【００１３】
本発明の実施の形態に係わる放射線モニタについて、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、放射線モニタの構成は、実際にはさらに複数の部材を備えているが、説明を簡単にするため、説明に必要な部分のみを記載し、他の部分については省略している。
【００１４】
実施の形態１．
以下、この発明の実施の形態１を図に基づいて説明する。図１において、放射線モニタ１００は、検出部１と測定部２から構成されている。検出部１は、放射線検出器１１、チェック線源照射部１２、検出部カバー１３を備えている。放射線検出器１１は、放射線を検出して検出信号を出力する。チェック線源照射部１２は、点検時にその放射線検出器１１にチェック用の放射線を照射する。検出部カバー１３は、放射線検出器１１及びチェック線源照射部１２を電気的に遮蔽すると共に環境から保護する。
【００１５】
環境放射線を測定する場合、放射線検出器１１として、空乏層（またはＩ層）と、この空乏層を挟んで入射面側に配置されたＰ層（アノード）と、その反対側に配置されたＮ層（カソード）との３層構造を有するＳｉ−ＰＩＮ半導体検出器が適用できる。放射線を検出するにはＰ層とＩ層（空乏層）の間に逆電圧を印加する。検出部カバー１３は、Ｓｉ−ＰＩＮ半導体検出器と組み合わせて放射線測定のエネルギー特性が平坦になるように、透過率を考慮して材質と厚みが選定されている。
【００１６】
測定部２は、信号処理部２１、演算部２２、表示部２３、モード選択スイッチ２４、ＡＣ電源２５およびサーキットプロテクタ２６を備えている。信号処理部２１は、放射線検出器１１から出力された検出信号を入力して放射線を測定する。演算部２２は、その測定値を単位時間当たりの放射線量としての工学値（計数率、線量率など）に変換して出力する。表示部２３は、演算部２２が算出した放射線量（工学値）を表示する。
【００１７】
モード選択スイッチ２４は、通常の測定を行うノーマルモードと、放射線検出器１１にチェック用の放射線を照射するチェック線源モードとを切り換える。図において、モード選択スイッチ２４は、ノーマルモードに設定されていて、シャッター１２４は、閉状態を保持している。ＡＣ電源２５は、チェック線源モードが選択されると、ＡＣ（Alternating Current）電圧を検出部１のチェック線源照射部１２に供給する。サーキットプロテク
タ２６は、チェック線源照射部１２の過電流を検知してＡＣソレノイド１２５に流れるＡＣ電流を遮断する。
【００１８】
検出部１は、測定部２から遠隔操作するために複合ケーブル３で測定部２と接続されている。複合ケーブル３は、検出信号ケーブル３１と制御ケーブル３２を有している。検出信号ケーブル３１は、放射線検出器１１から出力された検出信号を測定部２に伝送する。制御ケーブル３２は、測定部２のサーキットプロテクタ２６を経由してチェック線源照射部１２にＡＣ電源２５からＡＣ電圧を印加する。
【００１９】
チェック線源照射部１２は、チェック線源１２１、ホルダー１２２、支柱１２３、シャッター１２４、ＡＣソレノイド１２５、バネ１２６、温度スイッチ１２７および抵抗器１２８を備えている。チェック線源１２１は、チェック用の放射線を放出する。ホルダー１２２に、チェック線源１２１が取り付けられている。支柱１２３は、ホルダー１２２を固定する。シャッター１２４は、放射線検出器１１とチェック線源１２１（およびホルダー１２２）との間に配置されていて、例えば上下に移動する。
【００２０】
ＡＣソレノイド１２５は、ＡＣ電源で動作し、測定部２のモード選択スイッチ２４の操作で遠隔動作してシャッター１２４の開閉を行う。バネ１２６は、開になったシャッター１２４を閉に復帰させる。温度スイッチ１２７は、ＡＣソレノイド１２５に密着固定され、設定値以上の温度になったらバイメタルの原理で接点が開状態から閉状態に反転する。抵抗器１２８は、温度スイッチ１２７に直列に接続されている。
【００２１】
チェック線源モードでは、シャッター１２４を開状態にして放射線検出器１１に対してチェック線源１２１のチェック用放射線を照射する。ノーマルモードでは、シャッター１２４を閉状態にして放射線検出器１１に対してチェック線源１２１を遮蔽する。シャッター１２４はβ線を吸収するので、放射線検出器１１に対するチェック用放射線の照射が遮断される。チェック線源１２１の核種としては、半減期が２８．８年と長く、遮蔽が容易なβ線源であるＳｒ−９０が適用できる。Ｓｒ−９０は、入手が容易で、放射平衡にあるＹ−９０のβ線のエネルギーは２．２８ＭｅＶと大きい。
【００２２】
シャッター１２４は、厚みが数ｍｍあり、β線の吸収に伴い放射される制動Ｘ線を概ね吸収する。シャッター１２４が開になってβ線がＳｉ半導体検出器の裏面側のセラミック基板に直接入射すると、β線はセラミック基板で吸収される。その吸収に伴う制動Ｘ線はＳｉ半導体検出器の空乏層に作用してチェック線源モードとして機能する。サーキットプロテクタ２６は、細分化された定格のものが市販されており、ＡＣソレノイド１２５の定格電流に合わせて所望のものが容易に入手できる。
【００２３】
ＡＣソレノイド１２５はプランジャー１２５１とコイル１２５２とから構成されている。ＡＣ電源２５からＡＣソレノイド１２５にＡＣ電圧を供給すると、内臓のコイル１２５２が励磁される。ＡＣソレノイド１２５のプランジャー１２５１がバネ１２６に逆らって吸引されるとシャッター１２４が閉状態から開状態に反転する。運用中に付着した塵埃等によりプランジャー１２５１が所定の位置まで吸引されないで途中で引っかかった状態になると、ＡＣソレノイド１２５に過電流が流れてＡＣソレノイド１２５が異常発熱する。ＡＣソレノイド１２５に密着している温度スイッチ１２７は設定温度以上になるとその接点が開状態から閉状態に反転する。
【００２４】
温度スイッチ１２７の接点と抵抗器１２８は直列に接続され、その直列接続がＡＣソレノイド１２５のコイル１２５２に並列接続されている。温度スイッチ１２７の接点が開状態から閉状態に反転することにより、測定部２のサーキットプロテクタ２６の内部コイル２６１に過電流が流れるので、その内部コイル２６１に直列に接続されている内部接点２６２が引き外されると共にその状態を自己保持してＡＣソレノイド１２５へ流れるＡＣ電流が遮断される。
【００２５】
サーキットプロテクタ２６は、定格電流以上の過渡電流が増大するに伴い接点の引き外し動作が速くなる特性を有しており、ＡＣソレノイド１２５の動作時の過渡電流では動作しない定格電流のものが選定されている。一般的にはＡＣソレノイド１２５の定格電流に合わせてそれを超えないようにサーキットプロテクタ２６が選定される。
【００２６】
温度スイッチ１２７は、動作温度がＡＣソレノイド１２５の定格温度に設定されている。検出部１の通常の上限環境温度をＴ１、事故時の上限環境温度をＴ２、ＡＣソレノイド１２５の定格温度をＴ３、ＡＣソレノイド１２５の通常温度上昇値をΔＴとすると、ＡＣソレノイド１２５は、Ｔ３＞Ｔ１＋ΔＴとなるようなものが選定される。
【００２７】
事故時における検出部１の環境温度Ｔは、実際には把握できないし、温度測定を行わないことが前提となっている。上記のようにしてＡＣソレノイド１２５を保護することにより、事故時にチェック線源モードを選択しても、Ｔ３＞Ｔ＋ΔＴであれば点検可能である。また、環境温度Ｔに対して、Ｔ３≦Ｔ＋ΔＴが成立するならば自動的にサーキットプロテクタ２６が開になってＡＣソレノイド１２５を保護する。
【００２８】
以上のように構成してＡＣソレノイド１２５を保護するようにしたので、事故時の検出部１の環境温度が把握できない状態でも、温度スイッチ１２７がチェック線源モードの可否を自動的に判定する。チェック線源モード可の場合は事故時でも装置の健全性確認を行うことができる。チェック線源モード不可の場合はサーキットプロテクタ２６を動作させてＡＣソレノイド１２５を保護して測定状態に自動復帰させる。
【００２９】
事故時の温度環境において、チェック線源モードの操作でＡＣソレノイド１２５が焼損することが想定されている。焼損の結果としてチェック線源が移動の途中で止まって動かなくなると、シャッター１２４が測定状態に復帰できない状態が起こりうる。実施の形態１の構成により、そうした状態を回避できるので、通常時及び事故時を通して高信頼の放射線モニタを提供できる。
【００３０】
本実施の形態に係わる放射線モニタは、検出部と測定部と、を備えている。検出部は、放射線を検出して検出信号を出力する放射線検出器、遠隔操作により上記放射線検出器に点検用放射線を照射するチェック線源照射手段を有する。
【００３１】
測定部は、上記検出器信号を入力して放射線を測定する信号処理部、その測定値を単位時間当たりの放射線量としての工学値に変換して出力する演算部、その工学値を表示する表示部、通常測定を行うノーマルモードと上記放射線検出器に点検用放射線を照射した状態で測定を行うチェック線源モードの選択操作を行うモード選択手段、上記チェック線源照射部の過電流保護を行う過電流保護手段を有する。
【００３２】
チェック線源照射手段は、点検用放射線を放射するチェック線源、ノーマルモード時に点検用放射線を遮蔽する遮蔽手段、チェック線源モード時に点検用放射線が放射線検出器に照射されるように遮蔽手段またはチェック線源を移動するＡＣソレノイド、該ＡＣソレノイドに密着させて取り付けられ、設定された温度以上になると接点が反転する温度スイッチ、該温度スイッチの接点に直列接続された抵抗器を有している。
【００３３】
過電流保護手段は過渡電流の増大に伴い引き外し動作が速くなる特性の接点で電流を遮断すると共にその状態を機械的に自己保持するものである。温度スイッチの接点と抵抗器が直列に接続され、その直列接続がＡＣソレノイドに並列に接続され、温度スイッチが設定された温度以上になると、抵抗器で抑制された電流を意図的に流して過電流保護手段の接点を引き外す。
【００３４】
実施の形態２．
なお、実施の形態１に係わる検出部１は、測定対象が例えば環境放射線の場合に対応した構成であった。チェック線源照射部１２は、チェック線源１２１を取り付けたホルダー１２２を支柱１２３に固定し、放射線検出器１１とホルダー１２２の間に配置されたシャッター１２４でチェック線源１２１を遮蔽している。シャッター１２４の開閉は、測定部２からの遠隔操作で行うものである。
【００３５】
実施の形態２に係わる放射線モニタの構成を図２に示す。本実施の形態において、検出部１は、測定対象が例えばサンプリングされた試料ガスの場合に対応する構成である。検出部１は、試料容器１４、放射線検出器１１、遮蔽体１５を備えている。試料容器１４は、測定する試料ガスの容積を規定する。放射線検出器１１は、試料容器１４で規定された容積の試料ガスに含まれるガス状放射性物質から放出される放射線を検出する。遮蔽体１５は、放射線検出器１１及び試料容器１４を内包して環境放射線から遮蔽する。
【００３６】
チェック線源照射部１２は、チェック線源１２１、ホルダー１２２、ＡＣソレノイド１２５などから構成されている。チェック線源１２１はホルダー１２２に取り付けられている。ホルダー１２２は支柱棒１２９の先端に固定している。支柱棒１２９はＡＣソレノイド１２５のプランジャーに結合されている。チェック線源１２１は、ＡＣソレノイド１２５の動作によって、対向位置と遮蔽位置の間を移動または往復する。図２では、チェック線源１２１は、対向位置に設定されていて、チェック線源１２１と放射線検出器１１が対向している（ノーマルモード状態）。
【００３７】
測定部２のモード選択スイッチ２４によりＡＣソレノイド１２５の動作状態が設定される。チェック線源モード状態では、試料容器１４を間に挟んで放射線検出器１１にチェック線源１２１が対面するように支柱棒１２９を移動させてチェック用の放射線を放射線検出器１１に照射する。ノーマルモード状態ではバネ１２６の復帰でチェック線源１２１が遮蔽体１５に隠れるように支柱棒１２９を移動させる。図３では、チェック線源１２１は、遮蔽位置に設定されている。
【００３８】
実施の形態２に係わる放射線モニタは、その他は実施の形態１と同様の構成により同様の動作を行うようにしている。その結果、本実施の形態に係わる放射線モニタは、実施の形態１と同様に事故時においてＡＣソレノイド１２５を確実に保護できるので放射線モニタの信頼性が向上している。
【００３９】
実施の形態３．
なお、実施の形態１及び実施の形態２では、チェック線源照射部１２が温度スイッチ１２７に直列に接続された抵抗器１２８を有していた。抵抗器１２８をＡＣソレノイドのコイルに並列に接続して温度スイッチ１２７の接点が開から閉に反転することにより、測定部２のサーキットプロテクタ２６の内部コイルに過電流が流れる。内部コイルに直列に接続されている内部接点が閉から開になると共にその状態を機械的に保持して電流を遮断するようにしている。
【００４０】
実施の形態３に係わる放射線モニタの構成を図４に示す。本実施の形態では、検出部１のチェック線源照射部１２は、温度スイッチ１２７の負荷として動作する、リレー１２０を有する。リレー１２０は第１の接点１２０１と第２の接点１２０２を有する。リレー１２０の第１の接点１２０１を温度スイッチ１２７の接点に並列に接続し、温度スイッチ１２７の接点が開から閉に反転したらリレー１２０を励磁する。リレー１２０の第２の接点１２０２は、ＡＣソレノイド１２５に直列に接続されている。
【００４１】
リレー１２０は、第１の接点１２０１を開から閉に反転させて励磁状態を自己保持すると共に、第２の接点１２０２を閉から開に反転させてＡＣソレノイド１２５の電流を遮断するように動作する。モード選択スイッチ２４をチェック線源モードからノーマルモードに戻すだけでチェック線源照射部１２のリレー１２０の自己保持は解除される。
【００４２】
以上のように構成することにより、通常時及び事故時を通してＡＣソレノイド１２５を確実に保護するようにしたので、実施の形態１及び実施の形態２と同様に事故時においてＡＣソレノイド１２５を確実に保護することで放射線モニタの信頼性を向上できる。また、実施の形態１及び実施の形態２のように、温度スイッチ１２７の動作時にサーキットプロテクタ２６を強制的にトリップさせるために、瞬時ではあるが複合ケーブル３を構成する制御ケーブル３２に抵抗器１２８で抑制された模擬短絡電流を流す必要がなくなるので、より信頼性の高い放射線モニタを提供できる。
【００４３】
本実施の形態に係わる放射線モニタは、検出部と測定部とを備えている。検出部は、放射線を検出して検出信号を出力する放射線検出器、遠隔操作により上記放射線検出器に点検用放射線を照射するチェック線源照射手段を有する。
【００４４】
測定部は、上記検出器信号を入力して放射線を測定する信号処理部、その測定値を単位時間当たりの放射線量としての工学値に変換して出力する演算部、その工学値を表示する表示部、通常測定を行うノーマルモードと上記放射線検出器に点検用放射線を照射した状態で測定を行うチェック線源モードの選択操作を行うモード選択手段、上記チェック線源照射部の過電流保護を行う過電流保護手段を有する。
【００４５】
上記チェック線源照射手段は、点検用放射線を放射するチェック線源、ノーマルモード時に点検用放射線を遮蔽する遮蔽手段、チェック線源モード時に点検用放射線が上記放射線検出器に照射されるように上記遮蔽手段または上記チェック線源を移動するＡＣソレノイド、該ＡＣソレノイドに密着させて取り付けられ、設定された温度以上になると接点が反転する温度スイッチ、該温度スイッチの接点の反転で動作するリレーを有する。
【００４６】
上記過電流保護手段は過電流に増大に伴い引き外し動作が速くなる特性の接点で電流を遮断すると共にその状態を機械的に自己保持するものである。上記温度スイッチの接点とリレーが直列に接続され、上記温度スイッチが設定された温度以上になるとその接点が反転する。それに伴い上記リレーが動作してその接点で自己保持されると共にもう１つの接点で上記ＡＣソレノイドの電流を遮断するようにしたことを特徴とする。
【００４７】
実施の形態４．
実施の形態４に係わる放射線モニタの構成を図５に示す。本実施の形態は、ＡＣソレノイドの定格温度管理を含めた過電流保護とチェック線源照射部ラインの短絡保護を別々に取り扱う考え方に基づいている。測定部２において実施の形態３のサーキットプロテクタ２６をヒューズ２７で置き換えて省スペース化したので測定部を小型化できる。すなわち、本実施の形態に係わる放射線モニタは、過電流保護手段としてヒューズを備えたことを特徴とする。
【００４８】
実施の形態５．
実施の形態５に係わる放射線モニタの構成を図６に示す。本実施の形態では、測定部２のモード選択スイッチ２４は、２段構造になっている。演算部２２は演算周期毎に選択モード情報を取り込むと共に、設定された演算周期数の直近の工学値データを時系列的に並べて、工学値データを演算周期毎に最新化する。ノーマルモードにおいては設定されたＱｓ個のノーマルモード工学値データ列を、最新化して記憶する。また、チェック線源モードにおいては設定されたＷｓ個のチェック線源工学値データ列を、最新化して記憶する。
【００４９】
測定部２において、モード選択スイッチ２４をノーマルモードからチェック線源モードへ切り換えると、演算部２２は図７および図８に示す動作フローで設定された直近のノーマルモード工学値とそれに続く直近のチェック線源モード工学値に基づきチェック線源の正味値を求め、その正味値が許容値以内かどうかを判定して出力する。図７は、動作フローのうちＳＴ００からＳＴ０９を示している。図８は、動作フローのうちＳＴ１０からＳＴ１７を示している。
【００５０】
演算部２２は、工程Ｓ０１で信号処理部２１から測定値を読み込み、工程Ｓ０２で測定値を工学値に変換して出力する。工程Ｓ０３で今回演算周期がチェック線源モードかどうか判定し、ＹＥＳならば工程Ｓ０４で前回演算周期がノーマルモードかどうかを判定する。ノーマルモードからチェック線源モードに反転していて判定がＹＥＳならば工程Ｓ０５でノーマルモード工学値データ列のデータ数が設定されたデータ数Ｐｓに等しいかどうかを判定する。
【００５１】
工程Ｓ０５の判定がＹＥＳならば工程Ｓ０６でノーマルモード工学値データ列のＰｓ個データについて平均値Ｍ（Ｎ）を求めて記憶すると共に、当該データ列をリセットし、次の演算周期でチェック線源モード工学値データ列の作成を開始するようにして工程Ｓ０１に戻る。工程Ｓ０５の判定がＮＯならば工程Ｓ０７で「ノーマルモード測定時間不足のため診断不可」のメッセージを出力すると共に、ノーマルモード工学値データ列をリセットし、次の演算周期でチェック線源モード工学値データ列の作成を開始するようにして工程Ｓ０１に戻る。メッセージはモード切換でリセットされるまでは記憶されて演算周期毎に出力される。
【００５２】
工程Ｓ０４の判定がＮＯならば工程Ｓ０８でチェック線源モード工学値データ列のデータ数が設定データ数Ｕｓに等しいかどうかを判定し、ＹＥＳなら工程Ｓ０９でチェック線源モード工学値データ列のＵｓ個データについて平均した平均値Ｍ（Ｃ）を求め、次式から正味値偏差を求める。
正味値偏差＝｛Ｍ（Ｃ）−Ｍ（Ｎ）／基準チェック線源正味工学値｝−１
【００５３】
さらに演算部２２は、工程Ｓ１０で正味値偏差が許容範囲内かどうかを判定し、ＹＥＳならば工程Ｓ１１で「チェック線源による点検結果：正常」のメッセージを出力し、工程Ｓ１６でチェック線源モードデータ列を最新化して工程Ｓ０１に戻る。工程Ｓ１０の判定がＮＯならば工程Ｓ１２で「チェック線源による点検結果：異常」のメッセージを出力して工程Ｓ１６に進む。工程Ｓ０８の判定がＮＯならば工程Ｓ１３で「チェック線源モード測定時間不足のため診断不可」のメッセージを出力して工程Ｓ１６に進む。
【００５４】
工程Ｓ０３の判定がＮＯならば、工程Ｓ１４で前回演算周期がチェック線源モードかどうかを判定する。チェック線源モードからノーマルモードに反転していて、判定がＹＥＳならば工程Ｓ１５でチェック線源モード工学値データ列をリセットし、「測定時間不足のための診断不可」のメッセージの記憶があればリセットし、ノーマルモード工学値データ列の作成を開始して工程Ｓ０１に戻る。
【００５５】
工程Ｓ１４の判定がＮＯならば工程Ｓ１７でノーマルモードデータ列を最新化して工程Ｓ０１に戻る。測定部２は、以上のような手順でチェック線源による点検結果を自動的に評価するようにしたので、効率的かつ高信頼性の点検を行うことができる。
【００５６】
本実施の形態に係わる放射線モニタは、演算部がノーマルモードからチェック線源モードへ切り換えたら、設定された直近のノーマルモード測定値と、それに続く直近のチェック線源測定値に基づきチェック線源の正味測定値を求め、その正味測定値が許容値以内かどうかを判定して出力するようにしたことを特徴とする。
【００５７】
なお、本発明は、その発明の範囲内において、各実施の形態を自由に組み合わせたり、各実施の形態を適宜、変形、省略することが可能である。
【符号の説明】
【００５８】
１  検出部、１１  放射線検出器、１２  チェック線源照射部、１２０  リレー、１２０１  第１の接点、１２０２  第２の接点、１２１  チェック線源、１２２  ホルダー、１２３  支柱、１２４  シャッター、１２５  ＡＣソレノイド、１２６  バネ、１２７  温度スイッチ、１２８  抵抗器、１２９  支柱棒、１３  検出部カバー、１４  試料容器、１５  遮蔽体、２  測定部、２１  信号処理部、２２  演算部、２３  表示部、２４  モード選択スイッチ、２５  ＡＣ電源、２６  サーキットプロテクタ、２７  ヒューズ、３
複合ケーブル、３１  検出信号ケーブル、３２  制御ケーブル、１００  放射線モニタ
【図１】
0006416040.tif 000002
【図２】
0006416040.tif 000003
【図３】
0006416040.tif 000004
【図４】
0006416040.tif 000005
【図５】
0006416040.tif 000006
【図６】
0006416040.tif 000007
【図７】
0006416040.tif 000008
【図８】
0006416040.tif 000009